(57)【要約】【課題】画像形成機におけるユニットの如き製品を賃貸するに際し、顧客に対する賃貸自体の管理と共に、製品の賃貸経歴及び補修経歴を適切に把握して製品の品質も管理することを可能にする賃貸管理方式を提供する。【解決手段】賃貸すべき製品に製品特定記号を付与すること、製品特定記号に関連せしめて賃貸顧客情報及び賃貸開始日を記憶すること、製品特定記号に関連せしめて返還日を記憶すること、及び製品特定記号に関連せしめて加えた補修処理を記憶することを含む。【選択図】        図１
2004272773.tif 000002
【特許請求の範囲】
【請求項１】
賃貸すべき製品に製品特定記号を付与すること、
該製品に該製品特定記号を表示すること、
該製品の該製品特定記号に関連せしめて、該製品の製品名を記憶すること、
該製品を顧客に賃貸する際に、該製品特定記号に関連せしめて、賃貸顧客情報及び賃貸開始日を記憶すること、
賃貸していた該製品が顧客から返還された際に、該製品特定記号に関連せしめて、返還日を記憶すること、及び
賃貸していた該製品が顧客から返還された後に、該製品に補修処理を加えた場合には、該製品特定記号に関連せしめて、加えた補修処理を記憶すること、
を特徴とする賃貸管理方式。
【請求項２】
賃貸していた該製品が顧客から返還された際に、該製品特定記号に関連せしめて、賃貸回数１を加えて記憶する、請求項１記載の賃貸管理方式。
【請求項３】
賃貸していた該製品が顧客から返還された際に、該製品特定記号に関連せしめて、賃貸していた期間を記憶する、請求項１又は２記載の賃貸管理方式。
【請求項４】
賃貸する顧客に顧客特定記号を付与すること、及び該顧客特定記号に関連せしめて、顧客情報を記憶すること、を含む請求項１から３までのいずれかに記載の賃貸管理方式。
【請求項５】
該製品特定記号を示すバーコードが印刷されたラベルを該製品に貼着することによって、該製品に該製品特定記号を表示する、請求項１から４までのいずれかに記載の賃貸管理方式。
【請求項６】
該製品は画像形成機に使用されるユニットであり、トナーを収容した静電潜像現像手段を含んでいる、請求項１から５までのいずれかに記載の賃貸管理方式。
【請求項７】
該ユニットは静電感光体を有する回転ドラムを含んでいる、請求項６記載の賃貸管理方式。
【請求項８】
該製品を顧客に賃貸する際には、該製品を包装箱内に収容して該包装箱に該製品特定記号を表示する、請求項１から７までのいずれかに記載の賃貸方式。
【請求項９】
該製品特定記号を示すバーコードが印刷されたラベルを該包装箱に貼着することによって、該包装箱に該製品特定記号を表示する、請求項８記載の賃貸管理方式。
【発明の詳細な説明】
【０００１】
【発明の属する技術分野】
本発明は、画像形成機に使用されるユニットの如き、繰り返し賃貸する際に必要に応じて補修処理が施される製品の賃貸管理方式に関する。
【０００２】
【従来の技術】
当業者には周知の如く、静電式複写機、印刷機及びファクシミリの如き静電式画像形成機として、プロセスユニット或いは作像ユニットと称されているユニットが着脱自在に装着されている形態のものが広く実用に供されている。ユニットは、通常、トナーを収容した静電潜像現像手段と共に、周表面に静電感光体を有する回転ドラムを含んでいる。静電潜像現像手段に収容されているトナーは現像の遂行に応じて消費され、従って現像が繰り返し遂行されると枯渇する。また、回転ドラムの周表面に配設されている静電感光体は使用に応じて漸次劣化せしめられる。従って、画像形成を相当回数繰り返し遂行した後においては、ユニットを補修する、即ち枯渇したトナーを再充填し或いは回転ドラムを交換することが必要となる。トナーの再充填或いは回転ドラムの交換には所要設備を必要とすると共に専門技術を必要とする。そこで、近時においては、ユニット補修の専門業者が、必要に応じてユニットに補修処理を加えて、一般使用者にユニットを繰り返し賃貸することが行なわれるようになってきた。
【０００３】
【発明が解決しようとする課題】
而して、ユニットを必要に応じて補修処理を加えて繰り返し賃貸するためには、顧客に対する賃貸自体の管理と共に、ユニットの使用経歴及び補修経歴を適切に把握してユニットの品質も管理することが重要である。本発明はかかる事実に鑑みてなされたものであり、その主たる技術的課題は、画像形成機におけるユニットの如き製品を賃貸するに際し、顧客に対する賃貸自体の管理と共に、製品の賃貸経歴及び補修経歴を適切に把握して製品の品質も管理することを可能にする、新規且つ優れた賃貸管理方式を提供することである。
【０００４】
【課題を解決するための手段】
本発明によれば、上記主たる技術的課題を達成する賃貸管理方式として、賃貸すべき製品に製品特定記号を付与すること、
該製品に該製品特定記号を表示すること、
該製品の該製品特定記号に関連せしめて、該製品の製品名を記憶すること、
該製品を顧客に賃貸する際に、該製品特定記号に関連せしめて、賃貸顧客情報及び賃貸開始日を記憶すること、
賃貸していた該製品が顧客から返還された際に、該製品特定記号に関連せしめて、返還日を記憶すること、及び
賃貸していた該製品が顧客から返還された後に、該製品に補修処理を加えた場合には、該製品特定記号に関連せしめて、加えた補修処理を記憶すること、
を特徴とする賃貸管理方式が提供される。
【０００５】
賃貸していた該製品が顧客から返還された際に、該製品特定記号に関連せしめて、賃貸回数１を加えて記憶するのが好ましい。賃貸していた該製品が顧客から返還された際に、該製品特定記号に関連せしめて、賃貸していた期間を記憶することもできる。好ましくは、賃貸する顧客に顧客特定記号を付与すること、及び該顧客特定記号に関連せしめて、顧客情報を記憶することを含む。該製品特定記号を示すバーコードが印刷されたラベルを該製品に貼着することによって、該製品に該製品特定記号を表示するのが好適である。該製品は画像形成機に使用されるユニットであり、トナーを収容した静電潜像現像手段、そしてまた静電感光体を有する回転ドラムを含んでいるものでよい。該製品を顧客に賃貸する際には、該製品を包装箱内に収容して該包装箱に該製品特定記号を表示するのが好ましい。該製品特定記号を示すバーコードが印刷されたラベルを該包装箱に貼着することによって、該包装箱に該製品特定記号を表示するのが好適である。
【０００６】
【発明の実施の形態】
以下、添付図面を参照して、本発明に従って構成された賃貸管理方式の好適実施形態について、更に詳細に説明する。
【０００７】
図１を参照して説明すると、画像形成機に使用されるユニットの如き製品を賃貸する場合には、最初に、市販されている製品を購入することが必要である。本発明の賃貸管理方式においては、賃貸のための製品を購入した時に、製品の各々に製品特定記号を付与する。かかる製品特定記号は適宜の文字及び数字を含む任意の記号でよく、例えば「ＡＢ０００１」の如く製品名を示す欧文字と購入順を示す番号でよい。そして、特定の製品に関して製品特定記号を付与した場合には、特定の製品自体に付与した製品特定記号を表示する。かかる表示は、製品自体に図２に図示する如きラベル２を貼着することによって好都合に遂行することができる。図２に図示するラベル２においては、上段に製品名が記載され、下段に製品特定記号が記載されている。製品特定記号は実際の製品特定記号自体と共にこの製品特定記号を示すバーコードで記載されている。
【０００８】
次いで、コンピュータのメモリでよい記憶手段４に、製品特定記号と共にこれに関連せしめて、製品情報６及び賃貸情報８−１及び８−２を記憶する。製品情報６は、製品名、賃貸回数及び補修処理を含んでいる。賃貸する前においては賃貸回数は零であり、補修処理は無である。
【０００９】
製品を顧客に賃貸する際には、賃貸情報８−１として賃貸先顧客情報及び賃貸開始日を記憶する。賃貸する顧客が出現した場合には、顧客の各々に対して、例えば適宜の文字と数字の組合せでよい顧客特定記号を付与し、コンピュータのメモリでよい記憶手段１０に、顧客特定記号に関連せしめて顧客名、顧客住所、電話番号、担当者名等の必要顧客情報を記憶するのが好適である。この場合には、記憶手段４における賃貸情報８−１における賃貸先顧客情報としては顧客特定記号のみを記憶すればよい。
【００１０】
製品を実際に顧客に届ける際には、ダンボール箱でよい包装箱内に収容して届けるのが好都合である。この場合には、包装箱にも製品特定記号を表示するのが望ましい。かかる表示は、包装箱に図３に図示する如きラベル１２を包装箱に貼着することによって遂行するのが好適である。図３に図示するラベル１２においては、上段に賃貸先顧客名が記載され、中段に製品名が記載され、下段に製品特定記号が記載されている。製品特定記号は実際の製品特定記号自体と共にこの製品特定記号を示すバーコードで記載されている。
【００１１】
賃貸していた製品が顧客から返還された時には、賃貸情報８−１として返還日を記憶し、そしてまた賃貸していた期間を記憶する。そして、製品情報６として記憶されている賃貸回数に１を加える。
【００１２】
賃貸する製品が画像形成機に使用されるユニットであり、トナーを収容した静電潜像現像手段と共に周表面に静電感光体を有する回転ドラムを含んでいる場合には、賃貸先で使用されることによってトナーが消費されて枯渇され、従ってトナーを充填することが必要になる。また、静電感光体が劣化され、従って回転ドラムを交換することが必要な場合もある。返還された製品にトナーの充填及び／又は回転ドラムの交換の如き必要補修処理を加えた場合には、かかる補修処理を製品情報６として記憶する。
【００１３】
１回目の賃貸から返還され所要補修処理を加えた製品を２回目の賃貸に供す場合には、賃貸情報８−２として賃貸先顧客情報及び賃貸開始日を記憶する。そして、賃貸していた製品が顧客から返還された時には、賃貸情報８−２としてに返還日を記憶し、賃貸していた期間を記憶する。そして、製品情報６として記憶されている賃貸回数に１を加える。
【００１４】
返還された製品に更に補修処理を加えて更に賃貸することができる場合には、加えた補修処理を製品情報６として記憶した後に顧客に賃貸し、この際には記憶手段４に引き続く賃貸情報を記憶する。数回の賃貸を繰り返すことによって製品が更に使用できない状態に至った場合には、製品情報６としてにその旨を記憶する。或いは、その製品に関する全ての情報を記憶手段４から削除する。
【００１５】
【発明の効果】
本発明の賃貸管理方式によれば、画像形成機におけるユニットの如き製品を賃貸するに際し、顧客に対する賃貸自体の管理と共に、製品の賃貸経歴及び補修経歴を適切に把握して製品の品質も管理することができる。
【図面の簡単な説明】
【図１】本発明の賃貸管理方式の好適実施形態における記憶事項等を示す簡略図。
【図２】本発明の賃貸管理方式の好適実施形態において製品に貼着されるラベルを示す簡略図。
【図３】本発明の賃貸管理方式の好適実施形態において包装箱に貼着されるラベルを示す簡略図。
【符号の説明】
２：製品に貼着されるラベル
４：記憶手段
６：製品情報
８−１：賃貸情報
８−２：賃貸情報
１０：記憶手段
１２：包装箱に貼着されるラベル
【図１】
2004272773.tif 000003
【図２】
2004272773.tif 000004
【図３】
2004272773.tif 000005